(57)【要約】【課題】モニターを有する撮影装置において、撮影時と再生時の操作性を両立させると大型化してしまう。【解決手段】筐体と、前記筐体に固定されたレンズ鏡筒と、前記筐体に対して第１の回動位置と第２の回動位置に回動可能に軸支され撮影条件を操作可能な撮影条件操作部を有する操作部と、前記筐体に固定された第１のモニターと、可撓部と前記操作部に固定された固定部を有する第２のモニターと、を有し、前記筐体は、前記第１の回動位置で前記可撓部を撓ませた状態で支持し、前記第２の回動位置で前記可撓部を伸長させた状態で支持する支持手段を有することを特徴とする撮影装置とする。【選択図】図１
2015154224.tif 000002
【特許請求の範囲】
【請求項１】
筐体と、
前記筐体に固定されたレンズ鏡筒と、
前記筐体に対して第１の回動位置と第２の回動位置に回動可能に軸支され撮影条件を操作可能な撮影条件操作部を有する操作部と、
前記筐体に固定され撮影条件または被写体を表示可能な第１のモニターと、
表示面が撓むことが可能な可撓部と前記操作部に固定された固定部を有する第２のモニターと、
を有し、
前記筐体は、前記第１の回動位置から前記第２の回動位置までの少なくとも一部の回動範囲で前記可撓部を撓ませた状態で支持し、前記第２の回動位置で前記可撓部を伸長させた状態で支持する支持手段を有する
ことを特徴とする撮影装置。
【請求項２】
前記第２の回動位置において、前記可撓部の表示面が平面となるとともに、前記第１のモニターの表示面と平行となることを特徴とする請求項１に記載の撮影装置。
【請求項３】
前記第１の回動位置において、前記第１のモニターの表示面と前記撮影条件操作部の操作面が平行となることを特徴とする請求項１に記載の撮影装置。
【請求項４】
ファインダーを有し、前記第１の回動位置において、前記ファインダーの表示面と前記撮影条件操作部の操作面が平行となることを特徴とする請求項１に記載の撮影装置。
【請求項５】
前記可撓部は、前記操作部の回動中心軸に平行な断面において曲率を有するような撓み方向に対して、前記操作部の回動中心軸に直交する断面において曲率を有するような撓み方向に撓みやすいことを特徴とする請求項１に記載の撮影装置。
【請求項６】
前記第１のモニターに対する前記第２のモニターの傾きを補正した画像を前記第２のモニターに表示する制御手段を有する請求項１に記載の撮影装置。
【請求項７】
第１の回動位置で前記第２のモニターの電源をオフする制御手段を有する請求項１に記載の撮影装置。
【請求項８】
第１の回動位置と第２の回動位置の少なくとも一方で、前記筐体に対する前記操作部の回転を係止可能なロック手段を有する請求項１に記載の撮影装置。
【発明の詳細な説明】
【技術分野】
【０００１】
本発明は、スチルカメラやビデオカメラ装置等の撮影装置に関し、特に、撮影画像を表示するモニターを有する撮影装置に関するものである。
【背景技術】
【０００２】
近年の撮影装置においては、撮影中の被写体および撮影済みの画像を表示するために、背面液晶モニターが一般的に用いられている。
【０００３】
また、従来光学ファインダーで撮影中の被写体を確認していた一眼レフにおいても、背面液晶モニターで被写体を確認しながら撮影する、いわゆるライブビュー撮影が可能となっている。
【０００４】
しかし、撮影画像の再生時やライブビュー撮影時における閲覧性や操作性を考慮して、大画面のモニターを搭載すると、本体の大型化を招いてしまうという問題があった。
【０００５】
特許文献１では、携帯時における本体の小型化と使用時におけるモニターの大画面化を両立するために、スライド自在なグリップ部によってモニターの一部を収納または露出させる技術が開示されている。
【先行技術文献】
【特許文献】
【０００６】
【特許文献１】特開平１１−２９８７７３号公報
【発明の概要】
【発明が解決しようとする課題】
【０００７】
特許文献１においては、再生時などにおいて大画面モニターを使用する際には、携帯時と比較して本体が大型化してしまうという課題があった。
【０００８】
そこで本発明では、モニターを有する撮影装置において、小型で撮影時と再生時の操作性を向上させることを目的としている。
【課題を解決するための手段】
【０００９】
上記目的を達成するために、本発明では、筐体と、前記筐体に固定されたレンズ鏡筒と、前記筐体に対して第１の回動位置と第２の回動位置に回動可能に軸支され撮影条件を操作可能な撮影条件操作部を有する操作部と、前記筐体に固定された第１のモニターと、可撓部と前記操作部に固定された固定部を有する第２のモニターと、を有し、前記筐体は、前記第１の回動位置で前記可撓部を撓ませた状態で支持し、前記第２の回動位置で前記可撓部を伸長させた状態で支持する支持手段を有することを特徴とする撮影装置とする。
【発明の効果】
【００１０】
モニターを有する撮影装置において、小型で撮影時と再生時の操作性を向上させることができる。
【図面の簡単な説明】
【００１１】
【図１】第１実施形態における撮影装置１の外観図（操作部１４が第１の回動位置にある場合）
【図２】第１実施形態における固定ユニットの斜視図
【図３】第１実施形態における回転ユニットの斜視図
【図４】第１実施形態における撮影装置１の外観図（操作部１４が第２の回動位置にある場合）
【図５】第１実施形態における撮影装置１の断面図
【図６】第１実施形態における第２の回動位置から第１の回動位置までの回動状態を示した上面図
【図７】第１実施形態における撮影装置１のフローチャート
【図８】第２実施形態における撮影装置２の外観図（操作部２４が第１の回動位置にある場合）
【図９】第２実施形態における撮影装置２の外観図（操作部２４が第２の回動位置にある場合）
【図１０】第２実施形態における撮影装置２の断面図
【図１１】第２実施形態における撮影装置２のフローチャート
【図１２】第２実施形態における撮影装置２の使用形態を示した説明図
【図１３】第３実施形態における撮影装置３の外観図（操作部３４が第２の回動位置にある場合）
【図１４】第３実施形態における回転ユニットの斜視図
【図１５】第４実施形態における制御回路４６の動作を示す説明図
【図１６】第４実施形態における制御回路４６の動作を示すフローチャート
【発明を実施するための形態】
【００１２】
以下、添付の図面を参照して、本発明の好適な実施形態を説明する。
【００１３】
［第１実施形態］
以下、本発明の第１実施形態における撮影装置１について説明する。
【００１４】
図１は、操作部１４が第１の回動位置にある撮影装置１の外観図であり、（ａ）は上面図、（ｂ）は斜視図、（ｃ）は背面図、（ｄ）は側面図である。図２は筐体１０および鏡筒１１および第１のモニター１２からなる固定ユニットの斜視図である。図３は第２のモニター１３および操作部１４からなる回転ユニットの斜視図である。
【００１５】
１０は筐体であり、各部材が固定される。不図示の光軸Ａ方向に直交する受光面を有する撮像素子を備え、撮像素子に入射した光線から画像を得ることが可能である。また、操作部１４を光軸方向と垂直な回転軸Ｂを中心にＣ方向に回転可能に軸支するヒンジ部１０ａを備えている。回転軸Ｂは筐体１０の光軸方向厚みのほぼ中央に位置する。また、モニター１３の係合部１３ｃが係合可能な、回転軸Ｂ方向に貫通したカム溝１０ｂを備えている。カム溝１０ｂは請求項における支持手段に相当する。また、回転軸Ｂと直交しロックマグネット１４ｃと対向する面に、鉄などの強磁性体からなるロックヨーク１０ｃ、１０ｄを備えている。
【００１６】
１１はレンズ鏡筒であり、光軸Ａ方向に延出しており、筐体１０の前面に固定される。不図示のレンズを備え、被写体から入射した光線を撮像素子に結像させることが可能である。
【００１７】
１２は第１のモニターであり、平板形状であって筐体１０の背面（レンズ鏡筒１１と反対側）に固定されている。第１のモニター１２は液晶パネルや有機ＥＬパネルなどからなり、光軸Ａ方向と直交する表示面を有する。撮像素子によって得られた画像（被写体）、撮影済みの画像、撮影条件など各種の情報を撮影装置１の背面方向（光軸Ａ方向）に表示可能である。また、表面を指などでなぞることで撮影装置１の操作が可能な、タッチパネル機能を備えている。
【００１８】
１３は第２のモニターであり、平板形状であって操作部１４に固定されている。第２のモニター１３は液晶パネルや有機ＥＬパネルなどからなり、回転軸Ｂと平行な表示面を有する平面部１３ａと、表示面が操作部１４の回動方向（Ｃ方向）に撓むことが可能な可撓部１３ｂとを備えている。平面部１３ａは請求項における固定部に相当する。平面部１３ａが操作部１４に固定されているとともに、平面部１３ａと可撓部１３ｂはそれぞれの表示面が連なるように並んで一体に設けられている。
【００１９】
なお、第２のモニター１３は、別体の平面部１３ａと可撓部１３ｂを連結して構成してもよいし、全体が可撓性を有するモニターの裏面の一部に板金や基板などの剛体を固定して平面部１３ａを構成してもよい。また、可撓部１３ｂの平面部１３ａと連結する端とは逆の端に、操作部１４の回転軸Ｂ方向に延出する係合部１３ｃを備えている。カム溝１０ｂと係合部１３ｃが係合することで、係合部１３ｃの位置が規制され、筐体１０に対して可撓部１３ｂが支持される。可撓部１３ｂと一体である平面部１３ａは筐体１０に固定されているため、カム溝１０ｂと係合部１３ｃの係合位置によって、可撓部１３ｂの撓み形状が決定される。
【００２０】
また、表面を指などでなぞることで撮影装置１の操作が可能な、タッチパネル機能を備えている。
【００２１】
１４は操作部であり、回転軸Ｂ方向に延出する係合部１４ａを備えている。操作部１４は、係合部１４ａを介してヒンジ部１０ａに連結され、筐体１０に対し光軸Ａと垂直な回転軸Ｂを中心にＣ方向に回動可能に軸支されている。回転軸Ｂは回転軸Ｂの延出方向から見て操作部１４のほぼ中央に位置する。本実施例では、操作部１４を保持し回転させることで、手動で操作部１４を回転させることができるが、別にアクチュエータを設けて電動回転を可能としてもよい。また操作部１４は、各種撮影条件を変更するためのボタンなどが配置された回転軸Ｂと平行な操作面を有する操作パネル１４ｂを備えている。
【００２２】
操作パネル１４ｂは、請求項における撮影条件操作部に対応する。操作パネル１４ｂは、操作面に直交する方向に押し込みストロークを有するボタンや操作面に直交する軸を中心に回転しクリック感を有するホイールなどのメカ機構を備え、感触によって操作したことを確認することができる。操作パネル１４ｂは振動などによって操作したことを確認することができる構成であってもよい。また、回転軸Ｂと直交しロックヨーク１０ｃ、１０ｄと対向する面に、ネオジウムマグネットなどの磁石からなるロックマグネット１４ｃを備えている。ロックヨーク１０ｃ、１０ｄとロックマグネット１４ｃは、請求項におけるロック手段に相当する。
【００２３】
図１に示す第１の回動位置では、第１のモニターは撮影装置１の外部に露出しているのに対し、第２のモニターは撮影装置１の内部に収納されている。したがって、第１の回動位置では、撮影装置１の表示可能領域は、図１斜線部Ｄ１の範囲となる。また、操作パネル１４ｂの操作面は光軸Ａ方向と直交し撮影装置１の背面方向（レンズ１１と反対側）を向いている。
【００２４】
以下、本実施例における操作部１４の第２の回動位置について説明する。図４は、操作部１４が第２の回動位置にある撮影装置１の外観図であり、（ａ）は上面図、（ｂ）は斜視図、（ｃ）は背面図、（ｄ）は側面図である。第２の回動位置は、第１の回動位置を基準として、回転軸Ｂを中心にして上面から見て反時計回りに操作部１４を９０度回転させた状態である。
【００２５】
第２の回動位置では、操作部１４の回転によって、第１のモニターと第２のモニターの両方が撮影装置１の外部に露出している。したがって、第２の回動位置では、撮影装置１の表示可能領域は、斜線部Ｄ１（第１のモニターの表示面）と斜線部Ｄ２（第２のモニターの表示面）を足した範囲となり、第１の回動位置に対して面積が増える。
【００２６】
以下、本実施例における操作部１４のロック機構について説明する。図５（ａ）は、第１の回動位置において、ロックマグネット１４ｃを通り光軸Ａと回転軸Ｂに平行な断面（図１中Ｈ断面）で切った撮影装置１の断面図である。第１の回動位置において、ロックマグネット１４ｃとロックヨーク１０ｃが回転軸Ｂ方向に対向するように配置されている。磁石であるロックマグネット１４ｃと強磁性体であるロックヨーク１０ｃの間には互いに回転軸Ｂ方向の吸着力が発生する。よって、筐体１０に対する操作部１４の回転は、吸着力による保持力以上の回転力が加わらない限り、第１の回動位置でロックされる。すなわち、ロックマグネット１４ｃとロックヨーク１０ｃは、第１の回動位置で筐体１０に対する操作部１４の回転を係止可能である。
【００２７】
図５（ｂ）は、第２の回動位置において、ロックマグネット１４ｃを通り光軸Ａと回転軸Ｂに平行な断面（図２中Ｈ断面）で切った断面図である。第２の回動位置において、ロックマグネット１４ｃとロックヨーク１０ｄが回転軸Ｂ方向に対向するように配置されている。よって、第１の回動位置と同様に、筐体１０に対する操作部１４の回転は、第２の回動位置でロックされる。すなわち、ロックマグネット１４ｃとロックヨーク１０ｄは、第２の回動位置で筐体１０に対する操作部１４の回転を係止可能である。
【００２８】
本実施例では、ロック機構は磁気的な吸着力を利用しているが、ピンと穴の係合によるものでもよい。図５（ｃ）は、ロック機構の他の実施形態を示したＨ断面で切った断面図である。操作部１４は、ロックマグネット１４ｃの代わりに回転軸Ｂ方向に進退可能なロックピン１４ｃを備えている。ロックピン１４ｃの進退は手動で行ってもよいし、アクチュエータによって電動で行ってもよい。筐体１０は、回転軸Ｂ方向に空いたロックピン１４ｃと係合可能な穴１０ｃ、１０ｄを備えている。第１の回動位置ではロックピン１４ｃと穴１０ｃ、第２の回動位置ではロックピン１４ｃと穴１０ｄがそれぞれ回転軸Ｂ方向に対向するように配置されている。ロックピン１４ｃを進退させて穴１０ｃ、１０ｄに係合させることによって筐体１０に対する操作部１４の回転を、第１の回動位置および第２の回動位置でロックすることが可能である。
【００２９】
本実施例では、回転軸Ｂは撮影装置１の上下方向であるが、本発明は操作部１４の回転方向に制限は無く、例えば撮影装置１の左右方向とし、上下方向にモニター１３の表示面積を拡大する構成としてもかまわない。
【００３０】
以下、本実施例における操作部１４の回転動作について説明する。図６は、操作部１４が第２の回動位置から第１の回動位置まで回転する際の途中状態を示した上面図である。（ａ）は第２の回動位置、（ｂ）は第２の回動位置を基準に上面から見て反時計回りに５度回転した状態、（ｃ）は第２の回動位置を基準に上面から見て反時計回りに１０度回転した状態、（ｄ）は第２の回動位置を基準に上面から見て反時計回りに９０度回転した状態（第１の回動位置）を示している。Ｅは操作パネル１４ｂの面する方向である。
【００３１】
図６（ａ）（第２の回動位置）において、係合部１３ｃはカム溝１０ｂの端に係合し、筐体１０に対し第２のモニター１３の可撓部１３ｂが支持されている。カム溝１０ｂは可撓部１３ｂを付勢しながら支持し、その付勢方向は平面部１３ａの表示方向（図中下方向）と直交する図中左方向である。すなわち、第２のモニター１３は可撓部１３ｂを伸長された状態で筐体１０に支持されている。そのため、可撓部１３ｂの表示面が平面となり、かつ、平面部１３ａの表示面と可撓部１３ｂの表示面が平行となる。また、操作部パネル１４ｂは撮影装置１の側面方向（図中Ｅ方向）に面する。
【００３２】
図６（ｂ）において、操作部１４の回転に伴い、係合部１３ｃとカム溝１０ｂの係合位置が変わる。第１の回動位置と第２の回動位置の間の回動位置では、可撓部１３ｂが撓むことで、第２のモニター１３と他部材の干渉を回避できる。本実施例では、カム溝１０ｂによって係合部１３ｃの図中左右方向の位置が規制され、可撓部１３ｂは、操作部１４の回動軸Ｂに直交する断面において曲率を有するような撓み方向に撓む。すなわち、第２のモニター１３は可撓部１３ｂを撓ませた状態で筐体１０に支持されている。この撓みによって第２のモニター１３の左右方向の大きさが小さくなり、第２のモニター１３と第１のモニター１２との間、および、第２のモニター１３と筐体１０との間の左右方向の干渉を回避している。
【００３３】
図６（ｃ）において、操作部１４のさらなる回転に伴い、係合部１３ｃとカム溝１０ｂの係合位置が変わる。可撓部１３ｂの撓み形状は変わるが、図６（ｂ）と同様に、可撓部１３ｂは、操作部１４の回動軸Ｂに直交する断面において曲率を有するような撓み方向に撓む。すなわち、第２のモニター１３は可撓部１３ｂを撓ませた状態で筐体１０に支持されている。この撓みによって第２のモニター１３の左右方向の大きさが小さくなり、第２のモニター１３と筐体１０との間の左右方向の干渉を回避している。
【００３４】
図６（ｄ）（第１の回動位置）において、係合部１３ｃはカム溝１０ｂの端に係合し、筐体１０に対し第２のモニター１３の可撓部１３ｂが支持されている。可撓部１３ｂは係合部１３ｃとカム溝１０ｂの係合によって撓み形状が保持され、可撓部１３ｂは、操作部１４の回動軸Ｂに直交する断面において曲率を有するような撓み方向に撓む。すなわち、第２のモニター１３は可撓部１３ｂを撓ませた状態で筐体１０に支持されている。また、第２のモニター１３が撮影装置１の内側に収納される。この撓みによって第２のモニター１３が収納される際のサイズが小さくなり、第１の回動位置における撮影装置１の大型化を低減している。また、操作部パネル１４ｂは撮影装置１の背面方向（図中Ｅ方向）に面し、操作部パネル１４ｂの操作面と第１のモニター１２の表示面が平行となる。
【００３５】
本実施例では、第２のモニター１３は、第２の回動位置で、カム溝１０ｂによって可撓部１３ｂを伸長された状態で筐体１０に支持されている。したがって、第２の回動位置では、撮影装置１の表示可能領域は、第１の回動位置に対して面積が増える。
【００３６】
本実施例では、第２のモニター１３は、第１の回動位置、および、第１の回動位置と第２の回動位置の間の回動位置で、カム溝１０ｂによって可撓部１３ｂを撓ませた状態で筐体１０に支持されている。したがって、第２のモニター１３と他部材との干渉を回避できる。もし、第２のモニター１３が撓まない場合は、他部材との干渉を避ける手段として以下が考えられる。第１に、操作部１４を右方向（光軸から離れる方向）に移動することで干渉量が低減できる。しかし、撮影装置１の左右方向のサイズが大きくなり小型化を阻害する。第２に、回転軸Ｂの位置を光軸方向で撮影装置１の背面側に移動することで干渉量が低減できる。
【００３７】
しかし、回転軸Ｂの位置が回転軸Ｂの延出方向から見た操作部１４の中心から離れるため、第１の回動位置または第２の回動位置で筐体１０から操作部１４が飛び出し小型化が阻害される。第３に、操作部１４の回転動作に、操作部１４が筐体１０および第１のモニター１２から離れる方向の並進動作を組み合わせることで干渉量が低減できる。しかし、第１の回動位置と第２の回動位置を切り替える動作が１動作で行えず複数の動作となるため、操作性が低下する。第４に、第１のモニター１２と第２のモニター１３の間の回転軸Ｂに直交する方向の距離（図４中ｄ）、および、第１のモニター１２と筐体１０の間の回転軸Ｂに直交する方向の距離（図４中ｄ）を離すことで干渉量が低減できる。しかし、第１のモニター１２の表示面と第２のモニター１３の表示面の間隔が広くなり、第２の回動位置での閲覧性が低下する。
【００３８】
以上の理由により、本実施例では、操作部のスライドなどにより表示面積を変える構成に比べて、表示面積を拡大させる際の撮影装置の大型化を低減し、操作性を向上することができる。
【００３９】
本実施例では、第１の回動位置では操作部１４の回転に伴って第２のモニター１３の可撓部１３ｂを撓ませて撮影装置１の内側に収納する。また、第２の回動位置では操作部１４の回転に伴って第２のモニター１３の可撓部１３ｂを伸長させて表示面積を拡大する。よって、操作部のスライドなどにより表示面積を変える構成に比べて、表示面積を拡大させる際の撮影装置の大型化を低減することができる。
【００４０】
本実施例では、第１の回動位置では第２のモニター１３が撮影装置１の内側に収納される。よって、外部からの衝撃や圧力により第２のモニター１３が破損する可能性が低減でき、撮影装置１の信頼性が向上する。
【００４１】
本実施例では、操作部１４の回転角は９０度であるが、本発明は操作部１４の回転角度に制限は無く、例えば第２の回動位置は第１の回動位置を基準に上面から見て９０度より大きい角度または小さい角度であってもかまわない。
【００４２】
以下、本実施例における撮影装置１の使用形態について説明する。図７は、本実施例における撮影装置１のフローチャートである。１０１で撮影装置１の電源がＯＮされる。１０２で撮影装置１の使用形態が選択される。１０２で撮影が選択された場合、１０３で操作部１４を第１の回動位置に回転させる。１０４で第１のモニター１２に被写体が表示される。１０５で撮影操作（各種撮影条件の変更や被写体の撮影など）を行う。１０９で撮影装置１の電源をＯＦＦする。
【００４３】
本実施例では、１０５で撮影操作を行う際に、操作部１４を第１の回動位置に回転させる。このとき、各種撮影条件を変更するためのボタンなどを配置した操作パネル１４ｂの操作面と、第１のモニター１２の表示面が平行となる。よって、ユーザーがモニター１３に表示された被写体を見ながら各種撮影条件を変更しやすい。
【００４４】
１０２で再生が選択された場合、１０６で操作部１４を第２の回動位置に回転させる。１０７で第１のモニター１２および第２のモニター１３に撮影済みの画像や撮影条件など各種の情報が表示される。１０８で再生操作（画像の選択や拡大縮小、各種設定など）を行う。１０９で撮影装置１の電源をＯＦＦする。
【００４５】
本実施例では、１０８で撮影操作を行う際に、操作部１４を第２の回動位置に回転させる。このとき、第１のモニター１２の表示面と平面部１３ａの表示面と可撓部１３ｂの表示面の全てが平行となり、第１の回動位置と比較して撮影装置１の表示面積が拡大する。よって、撮影画像の閲覧性、および、タッチパネルの操作性が向上する。
【００４６】
以上説明したように、撮影装置１は、操作部１４の回転によって、撮影時は第２のモニター１３を撓ませて収納するとともに操作面と表示面を平行とし、撮影時は第２のモニター１３を伸長させて表示面積を拡大する。したがって、小型で撮影時と再生時の操作性を向上させることが可能となる。
【００４７】
本実施例は本発明を制限するものではなく、請求項の範囲で各種の変更を加えてもよい。
【００４８】
操作部１４は、撮影装置１を保持するためのグリップ部を設けてもよい。グリップ部により撮影装置１を保持し易くなり、撮影時および再生時の操作性が向上する。
【００４９】
操作部１４は、レンズを保護するためレンズ鏡筒１１の前面を保護するレンズバリアを備えてもよい。再生時は撮像素子を使用しないため、再生時の操作性を損ねることは無い。
【００５０】
撮影装置１は、露光中に操作部１４のロック部を係合する構成にしてもよい。露光中の不要な操作部１４の回転を防止し、撮影画像の振れを防ぐことができる。
【００５１】
［第２実施形態］
以下、本発明の第２実施形態における撮影装置２について説明する。第１実施形態に対して異なる部分のみを説明する。
【００５２】
図８は、操作部２４が第１の回動位置にある撮影装置２の外観図であり、（ａ）は上面図、（ｂ）は斜視図、（ｃ）は背面図、（ｄ）は側面図である。
【００５３】
２０は筐体であり、回転軸Ｂと直交し検知センサ２４ｃと対向する面に、ネオジウムマグネットなどの磁石からなる検知マグネット２０ｃ、２０ｄを備えている。
【００５４】
２５はファインダーであり、筐体２０の背面（レンズ２１と反対側）に設けられている。ファインダー２５の表示面は光軸Ａと直交し撮影装置２の背面方向に面しており、撮像素子で記録可能な領域を表示可能である。ファインダー２５は第１のモニター２２および第２のモニター２３と比較して単位面積当たりの画素数が多い（解像度が高い）ことが望ましい。
【００５５】
本実施例において、ファインダー２５は、レンズ２１を通った光線をミラーおよびプリズムなどの光学系によって接眼面に被写体を表示する、いわゆる光学ファインダーである。しかし、ファインダーの表示方式によって本発明が制限されるものではなく、撮像素子によって得られた画像を電子的に表示可能な液晶パネルや有機ＥＬパネルなどからなる電子ファインダーであってもよい。
【００５６】
また、レンズやミラーを介さずに直接被写体を観察可能な光学系を有する光学ファインダーであってもよい。本実施例ではファインダー２５の表示面の方向は撮影装置２の背面方向であるが、ファインダー２５の表示方向が可変であってもよい。第１のモニター２２および第２のモニター２３はファインダー２５と比較して画面サイズが大きいことが望ましい。
【００５７】
２４は操作部であり、回転軸Ｂと直交し検知マグネット１０ｃ、１０ｄと対向する面に、ホール素子などの検知センサ２４ｃを備えている。第１の回動位置において、操作部パネル２４ｂは撮影装置２の背面方向に面し、操作部パネル２４ｂの操作面とファインダー２５の表示面が平行となる。
【００５８】
２６は制御回路であり、検知センサ２４ｃの出力をもとに第１のモニター２２、第２のモニター２３、ファインダー２５の表示を制御する。
【００５９】
以下、本実施例における操作部１４の回転検知機構について説明する。図１０（ａ）は、第１の回動位置において、検知センサ２４ｃを通り光軸Ａと回転軸Ｂに平行な断面（図８中Ｈ断面）で切った撮影装置２の断面図である。第１の回動位置において、検知センサ２４ｃと検知マグネット２０ｃは回転軸Ｂ方向に対向するように配置されている。制御回路２６は、検知センサ２４ｃが検知した検知マグネット２０ｃの磁力または磁極の方向によって、操作部２４が第１の回動位置にあることを検出可能である。
【００６０】
図９は、操作部２４が第２の回動位置にある撮影装置２の外観図であり、（ａ）は上面図、（ｂ）は斜視図、（ｃ）は背面図、（ｄ）は側面図である。図１０（ｂ）は、第２の回動位置において、Ｈ断面で切った断面図である。第２の回動位置において、検知センサ２４ｃと検知マグネット２０ｄは回転軸Ｂ方向に対向するように配置されている。検知マグネット２０ｄの磁力または磁極は、検知マグネット２０ｃの磁力または磁極と異なる。よって、制御回路２６は、検知センサ２４ｃが検知した検知マグネット２０ｄの磁力または磁極によって、操作部２４が第２の回動位置にあることを検出可能である。
【００６１】
以下、本実施例における撮影装置２の使用形態について説明する。図１１は、本実施例における撮影装置２のフローチャートである。
【００６２】
２０１で撮影装置２の電源がＯＮされる。２０２で撮影装置２の使用形態が選択される。２０２で撮影が選択された場合、２０３で撮影装置２の撮影モードが選択される。２０３でファインダー撮影が選択された場合、２０４で操作部２４を第１の回動位置に回転させる。２０５で操作部２４が第１の回転位置に回転したことを検知センサ２４ｃが検知し、制御回路２６はファインダー２５の表示をＯＮする。２０６でファインダー２５に被写体が表示される。２０７で撮影操作（各種撮影条件の変更や被写体の撮影など）を行う。２１６で撮影装置２の電源をＯＦＦする。
【００６３】
図１２（ａ）は、２０７で行うファインダー２５を使用した撮影操作（ファインダー撮影）の説明図である。
【００６４】
ユーザーはファインダー２５に表示された被写体を覗きこみながら撮影を行う。この使用形態では表示部とユーザーの目との距離が近く、解像度の高いファインダー２５の表示が適している。また、外部の光が入射することが無いため像が見やすい。また、視線方向と光軸方向が一致するため被写体を追いかけやすい。
【００６５】
本実施例では、２０７の撮影操作において、操作部２４を第１の回動位置に回転させる。このとき、操作パネル２４ｂの操作面に直交する方向が光軸Ａ方向と平行になり、図１２（ｂ）のように操作部２４を前後方向から挟むようにして撮影装置２を保持した際に、操作パネル２４ｂを指で操作しやすい。また、操作部パネル２４ｂの操作面がファインダー２５の表示面と平行になり、図１２（ｂ）のようにファインダー２５を覗きこみながら撮影を行う際に、視線方向と操作面に直交する方向が一致し、操作パネル２４ｂを指で操作しやすい。
【００６６】
また、ファインダー２５を覗きこむため、撮影条件の変更は手探りで操作する必要があるが、操作パネル２４ｂに設けられたボタンやホイールは感触によって操作したことを確認できるため、手探りの操作に適している。したがって、ファインダー撮影では第１の回動位置に回転させることで、操作性が良好となる。
【００６７】
本実施例では、第１の回動位置では、第２の回動位置に対して、撮影装置２の表示面積（Ｄ１）は小さくなる。しかし、ファインダー２５を使用した撮影では、一時的に目を離して表示を確認する場合を除き、撮影装置２の表示を使用しない。また、撮影条件の変更は手探りで操作する必要があるため、目視を前提とする第１のモニター２２および第２のモニター２３を使用したタッチパネル操作は適していない。したがって、第１の回動位置に回転させることで操作性を損なうことは無い。
【００６８】
フローチャートに戻り、２０３でライブビュー撮影が選択された場合、２０８で操作部２４を第２の回動位置に回転させる。２０９で操作部２４が第２の回転位置に回転したことを検知センサ２４ｃが検知し、制御回路は第１のモニター２２および第２のモニター２３の表示をＯＮする。２１０で第１のモニター２２および第２のモニター２３に被写体が表示される。２１１で撮影操作（各種撮影条件の変更や被写体の撮影など）を行う。２１６で撮影装置２の電源をＯＦＦする。
【００６９】
図１２（ｃ）は、２１１で行う第１のモニター２２および第２のモニター２３を使用した撮影操作（ライブビュー撮影）の説明図である。
【００７０】
撮影装置２はミラーおよびプリズムなどの光学系を光路から退避させて撮像素子に光線を結像させ、第１のモニター２２および第２のモニター２３に撮像素子によって得られた被写体の画像を表示する。いわゆるライブビュー撮影である。ユーザーは第１のモニター２２および第２のモニター２３に表示された被写体を離れて見ながら撮影を行う。この使用形態では撮影装置２と撮影者の目との距離が離れるため、表示面積が大きい第１のモニター２２および第２のモニター２３の表示が適している。また、表示部を直接触れて操作できる第１のモニター２２および第２のモニター２３のタッチパネル操作が適している。
【００７１】
本実施例では、２１１の撮影操作において、操作部２４を第２の回動位置に回転させる。このとき、第１の回動位置に対して、撮影装置２の表示面積（Ｄ１とＤ２を足した範囲）が大きくなるため、被写体の閲覧性、および、タッチパネルの操作性が向上する。また、図１２（ｃ）のように撮影装置２と撮影者の目との距離が離れる撮影形態の際の閲覧性が向上する。したがって、ライブビュー撮影では第２の回動位置に回転させることで、操作性が良好となる。
【００７２】
第２の回動位置では、操作部パネル２４ｂは撮影装置２の側面方向に面するため、撮影者から直接目視できないが、操作パネル２４ｂに設けられたボタンやホイールは感触によって操作したことを確認できる。したがって、第２の回動位置に回転させることで操作性を損なうことは無い。
【００７３】
フローチャートに戻り、２０２で再生が選択された場合、２１２で操作部２４を第２の回動位置に回転させる。２１３で操作部２４が第２の回転位置に回転したことを検知センサ２４ｃが検知し、制御回路２６は第１のモニター２２および第２のモニター２３の表示をＯＮする。２１４で第１のモニター２２および第２のモニター２３に撮影済みの画像や撮影条件など各種の情報が表示される。２１５で再生操作（画像の選択や拡大縮小、各種設定など）を行う。２１６で撮影装置２の電源をＯＦＦする。
【００７４】
図１２（ｃ）は、２１５で行う第１のモニター２２および第２のモニター２３を使用した画像の再生操作の説明図である。ユーザーは第１のモニター２２および第２のモニター２３の表示を見て各種操作を行う。この使用形態では、より多くの情報を表示できるため、表示面積が大きいことが望ましい。また、表示部を直接触れて操作できるタッチパネル操作が適している。
【００７５】
本実施例では、２１５の再生操作において、操作部２４を第２の回動位置に回転させる。このとき、第１の回動位置に対して、撮影装置２の表示面積（Ｄ１とＤ２を足した範囲）が大きくなるため、表示の閲覧性、および、タッチパネルの操作性が向上する。また、図１２（ｃ）のように撮影装置２と撮影者の目との距離が離れる撮影形態の際の閲覧性が向上する。したがって、再生では第２の回動位置に回転させることで、操作性が良好となる。また、ライブビュー撮影と同様に、第２の回動位置に回転させることで操作性を損なうことは無い。
【００７６】
以上説明したように、撮影装置２は、操作部２４の回転によって、撮影時は第２のモニター２３を撓ませて収納するとともに操作面と表示面を平行とし、撮影時は第２のモニター２３を伸長させて表示面積を拡大する。したがって、小型で撮影時と再生時の操作性を向上させることが可能となる。
【００７７】
本実施例は本発明を制限するものではなく、請求項の範囲で各種の変更を加えてもよい。
【００７８】
制御回路２６は、操作部２４が第１の回動位置にあることを検知して、操作部２４によって隠れる部分の第２のモニター２３の表示をＯＦＦしてもよい。目に触れない部分の表示をＯＦＦすることにより、操作性を犠牲にすることなく省電力化が図れる。
【００７９】
制御回路２６は、操作部２４が第２の回動位置にあることを検知して、ファインダー２５の表示をＯＦＦしてもよい。使用しない部分の表示をＯＦＦすることにより、操作性を犠牲にすることなく省電力化が図れる。
【００８０】
制御回路２６は、操作部２４が第１の回動位置にあることを検知して、ファインダー撮影モードに切り替えてもよい。また、操作部２４が第２の回動位置にあることを検知して、ライブビュー撮影または画像再生モードに切り替えてもよい。モード切り替えの際の操作が削減でき、操作性が向上する。
【００８１】
［第３実施形態］
以下、本発明の第３実施形態における撮影装置３について説明する。第１実施形態に対して異なる部分のみを説明する。
【００８２】
図１３は、操作部３４が第２の回動位置にある撮影装置３の外観図であり、（ａ）は上面図、（ｂ）は斜視図、（ｃ）は背面図、（ｄ）は側面図である。図１４は第２のモニター３３および操作部３４からなる回転ユニットの斜視図である。
【００８３】
可撓部３３ｂの表示面と反対の面に、剛体からなる上下方向（回転軸Ｂと平行な方向）に延出する支柱部３３ｄが複数配置されている。支柱部３３ｄにより、可撓部３３ｂの撓み方向は上下方向（回転軸Ｂと平行な方向）への投影面内の方向（図１３中Ｆ方向）のみに規制され、左右方向への投影面内の方向（図１３中Ｇ方向）の撓みに対する強度が強くなる。言い換えると、操作部１４の回動軸Ｂに平行な断面において曲率を有するような撓み方向に対して、操作部１４の回動軸Ｂに直交する断面において曲率を有するような撓み方向に撓みやすい。したがって、可撓部３３ｂは操作部３４の回動によって安定して撓み状態と平面状態を切り替えることができる。
【００８４】
可撓部３３ｂと係合部３３ｃは左右方向（図１３中Ｈ方向）に弾性を有する弾性部３３ｅによって連結されている。第２の回動位置において、係合部３３ｃはカム溝３０ｂに係合し、筐体３０に対し係合部３３ｃが保持されている。係合部３３ｃに連結された弾性部３３ｅは、可撓部３３ｂを平面部３３ａの表示面と平行で回転軸Ｂと直交する方向（図１３中Ｈ方向）に付勢しながら保持する。そのため、可撓部３３ｂの表示面が撓みなく平面となり、かつ、平面部３３ａの表示面と可撓部３３ｂの表示面が平行となる。したがって、可撓部３３ｂは第２の回動位置において安定して平面状態を維持することができる。
【００８５】
以上説明したように、撮影装置３は、操作部３４の回転によって、撮影時は第２のモニター３３を撓ませて収納するとともに操作面と表示面を平行とし、撮影時は第２のモニター３３を伸長させて表示面積を拡大する。したがって、小型で撮影時と再生時の操作性を向上させることが可能となる。
【００８６】
［第４実施形態］
以下、本発明の第４実施形態における撮影装置４について説明する。第１実施形態に対して異なる部分のみを説明する。
【００８７】
撮影装置４は、第１のモニター４２および第２のモニター４３の表示を制御する制御回路４６を備えている。制御回路４６は請求項における制御手段に相当する。
【００８８】
図１５は、制御回路４６の動作を示す説明図である。第２の回動位置において、撮影装置４の背面から第１のモニター４２と第２のモニター４３を見た状態を示している。Ａは筐体４０に固定された撮像素子の受光面の受光範囲、Ｂは第１のモニター４２および第２のモニター４３の表示面の表示範囲を示している。
【００８９】
第２のモニター４３は、筐体４０に対して回転可能に軸支されているが、各部品の寸法公差や取付け精度などにより、筐体４０に対して傾きθを持って固定される場合がある。制御回路４６は、第１のモニター４２の稜線と表示範囲Ｂの稜線が平行となるように、第２のモニター４３の表示画像を−θだけ回転させて表示する。すなわち、制御回路４６は、第１のモニター４２に対する第２のモニター４３の傾きを補正した画像を前記第２のモニターに表示する。このとき、第１のモニター４２と同様に筐体４０に固定された撮像素子の受光範囲Ａと表示範囲Ｂの稜線も平行となる。
【００９０】
したがって、第１のモニター４２と第２のモニター４３に表示される画像に傾きズレが発生せず、各種画像の表示における閲覧性が向上する。また、撮像素子によって得られる被写体像と、第１のモニター４２および第２のモニター４３に表示される被写体像に傾きが発生せず、ライブビュー撮影における操作性が向上する。
【００９１】
図１６は、制御回路４６の動作を示すフローチャートである。４０１で表示画像を取得すると、４０２で撮影装置４の回動位置を判定する。第１の回動位置であるときは、４０３で第１のモニター４２に表示画像を表示するとともに第２のモニター４３の電源をオフし、４０８で完了する。第２の回動位置であるときは、４０４で第２のモニター４３の傾きθをもとに表示画像の補正値を更新する。傾きの検出は、撮影装置４の組立工程において測定装置で行ってもよいし、撮影装置４にセンサを設けて随時行ってもよい。４０５で第１のモニター４２の表示画像と第２のモニター４３の表示画像に分割する。４０６で第２のモニター４３の表示画像を補正値にしたがって補正する。４０７で第１のモニター４２の表示画像と第２のモニター４３の表示画像をそれぞれ表示して４０８で完了する。
【００９２】
以上説明したように、撮影装置４は、第２のモニター４３の傾きやズレを補正して表示させる。したがって、小型で撮影時と再生時の操作性を向上させることが可能となる。
【符号の説明】
【００９３】
１     撮影装置
１０   筐体
１０ａ      ヒンジ部
１０ｂ      カム溝
１０ｃ      ロックヨーク
１０ｄ      ロックヨーク
１１   レンズ鏡筒
１２   第１のモニター
１３   第２のモニター
１３ａ      平面部
１３ｂ      可撓部
１３ｃ      係合部
１４   操作部
１４ａ      係合部
１４ｂ      操作パネル
１４ｃ      ロックマグネット
【図１】
2015154224.tif 000003
【図２】
2015154224.tif 000004
【図３】
2015154224.tif 000005
【図４】
2015154224.tif 000006
【図５】
2015154224.tif 000007
【図６】
2015154224.tif 000008
【図７】
2015154224.tif 000009
【図８】
2015154224.tif 000010
【図９】
2015154224.tif 000011
【図１０】
2015154224.tif 000012
【図１１】
2015154224.tif 000013
【図１２】
2015154224.tif 000014
【図１３】
2015154224.tif 000015
【図１４】
2015154224.tif 000016
【図１５】
2015154224.tif 000017
【図１６】
2015154224.tif 000018